(57)【要約】      （修正有）【課題】据付時の直角性確保が容易、荷重によって回転変形、脱落しにくい鉄筋コンクリート工事用スペーサーを提供する。【解決手段】鉄筋２２とその先端を埋め込んだモルタル部２３とからなるスペーサー本体部２０に、主筋とこの主筋に直交する配力筋に沿わせる固定部２１を設けた。【選択図】図１
2014234600.tif 000002
【特許請求の範囲】
【請求項１】
鉄筋とその先端を埋め込んだモルタル部とからなるスペーサー本体部に、主筋とこの主筋に直交する配力筋に沿わせる固定部を設けたことを特徴とする鉄筋コンクリート工事用スペーサー。
【請求項２】
固定部は、主筋および配力筋に沿わせる十文字交差鉄筋からなり、この十文字交差鉄筋をスペーサー本体部を構成する鉄筋端に溶接した請求項１記載の鉄筋コンクリート工事用スペーサー。
【請求項３】
固定部は、主筋および配力筋に沿わせるＴ字形鉄筋からなり、このＴ字形鉄筋はスペーサー本体部を構成する鉄筋端を直角に折り曲げ、その角部に左右方向に伸びるように直筋を溶接してなる請求項１記載の鉄筋コンクリート工事用スペーサー。
【請求項４】
固定部は、Ｕ字形の鉄板をＴ字形に溶接接続した金物からなる請求項１記載の鉄筋コンクリート工事用スペーサー。
【請求項５】
固定部は、下側を半円形に曲げ加工した鉄板よりなり、この鉄板をスペーサー本体部を構成する鉄筋端に直角に溶接接続した請求項１記載の鉄筋コンクリート工事用スペーサー。
【請求項６】
固定部は、長ナットを備え、スペーサー本体部を構成するネジ切り鉄筋を螺合する請求項１記載の鉄筋コンクリート工事用スペーサー。
【請求項７】
固定部は、長ナット側部にボルトの締め込みで鉄筋に固定する溝部を設け、スペーサー本体部を構成するネジ切り鉄筋を長ナットに螺合し、長ナットからでるスペーサー本体部を構成するネジ切り鉄筋を配力筋に当接させる請求項１記載の鉄筋コンクリート工事用スペーサー。
【発明の詳細な説明】
【技術分野】
【０００１】
本発明は、鉄筋コンクリートによる構造物を施工時に、鉄筋と型枠との間隔を一定に保持するために、鉄筋に挟持・掛止して使用される鉄筋コンクリート工事用スペーサーに関するものである。
【背景技術】
【０００２】
鉄筋コンクリート構造物は、設計上の耐用年数から必要とされる量のかぶり（コンクリート表面と鉄筋の離れ）を確保することによって、耐久性を担保するシステムとなっている。
【０００３】
このかぶりを保証するものとして、鉄筋と型枠の間に設計上必要とされる長さのスペーサーが取り付けられる。構造物の側面など鉛直面の場合、一般的にはスペーサーは主筋（縦方向鉄筋）に２個／ｍ2以上取り付けられる。
【０００４】
このスペーサーには、金属製、プラスチック製、モルタル製があるが、打設されるコンクリートとのなじみ易さなどの理由から、モルタル製が適している。
【０００５】
モルタル製スペーサーとしては、モルタル成形ブロックをもってスペーサーとし、これに鉄筋への取付用クリップを設けたものが多く提案され、その一例として下記特許文献に示すようなものもある。
【特許文献１】特開２００４−１８３４７０号公報
【特許文献２】実用新案登録第３１５０５２５号公報
【０００６】
前記特許文献１は、図１９に示すように、スペーサー本体部１に、バネ性をもつ金属板製の鉄筋挟持用部２を中央基部３近傍の足片部４を埋め込んで一体化したもので、スペーサー本体部１から突出した鉄筋挟持用部２の両側板部５を、ここで挟持する鉄筋の長手方向から見てほぼ倒立Ω状に形成し、開口部７寄り両内側から、少なくとも各１本の爪片８をほぼ倒立Ω状部６のほぼ中央へ向けて突設すると共に、中央基部３寄りの両内側からも少なくとも各１本の爪片９を上記ほぼ中央へ向けて突設し、かつ鉄筋の長手方向から見て対向状の両爪片８，９間の先端部間の間隔Ｓを、ここで挟持する鉄筋の外径より小さめに形成した。
【０００７】
横鉄筋へ取付ける場合には、該横鉄筋を持ち上げて底部の型枠上に本発明のスペーサーＡを載置し、上方へ開いた開口部７に鉄筋を乗せて、該鉄筋を手で押し下げまたは足で踏み込む。これで該鉄筋はバネ力に抗して開口部７から、鉄筋の長手方向から見てほぼ倒立Ω状部６内の各爪片８，９の先端部間へ係合され、バネ力で挟持・掛止される。
【０００８】
縦鉄筋へ取付ける場合は、縦鉄筋の側方から本発明のスペーサーＡの鉄筋挟持用部２の開口部７を当てがい、スペーサー本体部１を縦鉄筋側へ押圧すればよい。これで該鉄筋挟持用部２は、上記と同様にバネ力に抗して開いて開口部７から縦鉄筋に套合し、ほぼ倒立Ω状部６内で各爪片８，９の先端部がバネ力で該縦鉄筋の外周面を挟持・掛止する。
【０００９】
特許文献２は、図２０に示すように、型枠１７に当接するためのブロック１２と、ブロック１２の当接側とは反対面に突設した支持棒１３と、支持棒１３が挿入できる幅の二股状で上面にボルト穴１４ａが開口され両脚片に横向きの鉄筋１６を支持棒１３と直交方向に配置できる凹所１４ｂ及び小凹所１４ｃが形成された受け具１４と、受け具１４のボルト穴４ａに螺合して鉄筋１６を支持棒１３とともに凹所１４ｂ又は小凹所１４ｃに圧接して固定する固定ボルト１５とで構成した。
【００１０】
ブロック１２の先端を型枠１７に当てて支持棒１３を鉄筋１６の上面に配置し、受け具１４を支持棒１３の上方から跨ぐように挿入して凹所１４ｂ又は小凹所４１ｃに鉄筋１６を配置し、固定ボルト１５を受け具１４のボルト穴１４ａに螺合して鉄筋１６を支持棒１３とともに凹所１４ｂ又は小凹所１４ｃに圧接して固定する。
【発明の概要】
【発明が解決しようとする課題】
【００１１】
前記従来のモルタル製スペーサーには次の問題がある。スペーサーの主筋への固定方法は、クリップ（バネ性をもつ金属板製の鉄筋挟持用部で主筋にはめ込む方法が多く、特許文献１もその一例であるが、上下方向からの荷重に対して簡単にはく落する、また、水平方向の荷重に対しては簡単に回転変形する。
【００１２】
特許文献２のようにコの字型の金物の横に設けるメスネジに固定ボルトを挿入し、締めこむことで固定するものでも、上下方向および水平方向の荷重によって簡単に回転変形、はく落を起す。
【００１３】
スペーサーは鉄筋面に対し直角に設置されることによって必要なかぶりを満足する構造となっているが、前記特許文献１や特許文献２の固定構造では、一々鉄筋面に対する直角性をゲージなどにより確認しながらスペーサーを取り付けることが必要であり、作業性が非常に悪い。（実際には、直角性をあまり考慮せずに設置されており、傾いて設置されることにより必要なかぶりを満たしていないことが多い。）
【００１４】
なお、かぶり（鉄筋と型枠の離れ）は設計により決められるが、構造物によって５０〜１５０ｍｍくらいの範囲で変動する。そのため、スペーサーは１０ｍｍ間隔で長さの異なる製品が準備されており、必要なサイズのスペーサーを注文し、使用する。
【００１５】
また、１１５ｍｍなど５ｍｍ単位のかぶりとなることがある。この場合、適合する長さのスペーサーが無いため、大き目のサイズのものを採用するか、納入までに時間はかかるが所定の長さのスペーサーを別途注文する、のいずれかを選ぶこととなる。
【００１６】
特許文献２では、受け具１４を支持棒１３に沿ってスライドさせてかぶりを正確に調節し、その後固定ボルト１５を受け具のボルト穴１４ａに螺合して鉄筋１６を支持棒１３とともに凹所に圧接して固定するので、かぶりが異なる場合は受け具１４を支持棒１３に沿ってスライドさせることで鉄筋１６に任意の位置で固定でき、１体で様々なかぶりに対応できるが、ミリ単位での対応は出できない。また、圧接して固定するのでは固定に難があり、簡単に移動してしまうおそれがある。
【００１７】
本発明の目的は前記従来例の不都合を解消し、据付時の直角性確保が容易、荷重によって回転変形、脱落しにくい鉄筋コンクリート工事用スペーサーを提供することにある。
【課題を解決するための手段】
【００１８】
前記目的を達成するため本発明は、第１に、鉄筋とその先端を埋め込んだモルタル部とからなるスペーサー本体部に、主筋とこの主筋に直交する配力筋に沿わせる固定部を設けたことを要旨とするものである。
【００１９】
第２に、固定部は、主筋および配力筋に沿わせる十文字交差鉄筋からなり、この十文字交差鉄筋をスペーサー本体部を構成する鉄筋端に溶接したこと、または、固定部は、主筋および配力筋に沿わせるＴ字形鉄筋からなり、このＴ字形鉄筋はスペーサー本体部を構成する鉄筋端を直角に折り曲げ、その角部に左右方向に伸びるように直筋を溶接してなること、もしくは、固定部は、Ｕ字形の鉄板をＴ字形に溶接接続した金物からなること、または、固定部は、下側を半円形に曲げ加工した鉄板よりなり、この鉄板をスペーサー本体部を構成する鉄筋端に直角に溶接接続したことを要旨とするものである。
【００２０】
第３に、固定部は、長ナットを備え、スペーサー本体部を構成するネジ切り鉄筋を螺合することを要旨とするものである。
【００２１】
第４に、固定部は、長ナット側部にボルトの締め込みで鉄筋に固定する溝部を設け、スペーサー本体部を構成するネジ切り鉄筋を長ナットに螺合し、長ナットからでるスペーサー本体部を構成するネジ切り鉄筋を配力筋に当接させることを要旨とするものである。
【００２２】
請求項１記載の本発明によれば、モルタル部を固定部に直角に設置したスペーサーを主筋（縦方向鉄筋）、配力筋（横方向鉄筋）に直角に設置することが容易であり、少々の外力では回転変形、脱落しないことから、確実にかぶりを保持できる。
【００２３】
請求項２記載の本発明によれば、固定部は、主筋および配力筋に沿わせる十文字交差鉄筋からなるので、鉄筋という安価な材料を用いて作製しやすく、また、十文字交差鉄筋の４ヶ所を主筋、配力筋に番線で締め込み、結束することができるので、取付も簡単に行える。
【００２４】
請求項３記載の本発明によれば、固定部は、主筋および配力筋に沿わせるＴ字型鉄筋からなるので、鉄筋という安価な材料を用いて作製しやすく、しかもスペーサー本体部を構成する鉄筋端の角部直筋を溶接するだけなので溶接個所も少なくてすむ。Ｌ字形鉄筋と主筋（縦方向鉄筋）、直筋と配力筋（横方向鉄筋）を番線または金属バンドで締めこむことによって取り付けも簡単に行える。
【００２５】
請求項４記載の本発明によれば、固定部のＵ字形の鉄板の溝が主筋（縦方向鉄筋）、配力筋（横方向鉄筋）が嵌るように設置し、ボルトの締め込みによって固定することができる。また、締め込みはボルトではなく、Ｕ字形の鉄板をかしめることによっても可能である。
【００２６】
請求項５記載の本発明によれば、固定プレートの下側半円形部を配力筋（横方向鉄筋）に上側鉛直部を主筋（縦方向鉄筋）に沿わせて設置し、Ｕボルトにより主筋に締めこむことで固定することができる。
【００２７】
請求項６記載の本発明によれば、固定部は、長ナットを備え、スペーサー本体部を構成するネジ切り鉄筋を螺合するので、長ナットに対してネジ切り鉄筋を回すことにより、堅牢な状態で位置調整が可能である。このようにして、モルタル部（モルタル、ネジ切り鉄筋）、固定部を１種類作ることによって５０〜１５０ｍｍの範囲のかぶりに対し、ミリ単位での対応が可能となる。また、１種類のモルタル部、固定部で広範囲のかぶりに対応でき、１種類の在庫によってスムーズな供給が可能であり、製作費、在庫のコストを低減できる。
【００２８】
請求項７記載の本発明によれば、前記請求項６の長ナットの作用に加えて、溝部に主筋を嵌めこみ、ボルトの締め込みで固定し、かつ、長ナットからでるスペーサー本体部を構成するネジ切り鉄筋を配力筋に当接させることで、長ナットおよび溝部が上下方向および水平方向の荷重によって簡単に回転変形、脱落を起すことを防止できる。
【発明の効果】
【００２９】
以上述べたように本発明の鉄筋コンクリート工事用スペーサーは、据付時の直角性確保が容易、荷重によって回転変形、脱落しにくいものである。
【発明を実施するための形態】
【００３０】
以下、図面について本発明の実施の形態を詳細に説明する。図１〜図３は本発明の鉄筋コンクリート工事用スペーサーの第１実施形態を示すもので、スペーサー本体部２０とその取り付けのための固定部２１とからなる。
【００３１】
スペーサー本体部２０は図４に示すように、鉄筋２２とその先端を埋め込んだモルタル部２３とからなる。鉄筋２２は普通の丸鋼、異形鉄筋の他後述のようにネジ切り鉄筋でもよい。
【００３２】
また、モルタル部２３はブロック状であれば特にその形状を問わない。図示のように先端が球形の円柱体の他、三角形状で、先端に円弧状の当接面が形成されている矢じり状のもの、先端が平坦な円柱体などである。
【００３３】
固定部２１は、主筋２４とこの主筋２４に直交する配力筋２５に沿わせるもので、２本の短尺な鉄筋を溶接した十文字交差鉄筋２６からなる。この十文字交差鉄筋２６はスペーサー本体部２０の鉄筋２２に直角に溶接固定される。
【００３４】
取り付けは、主筋２４（縦方向鉄筋）、配力筋２５（横方向鉄筋）の交点に沿わせるように十文字交差鉄筋２６を配置し、十文字交差鉄筋２６の４ヶ所を主筋２４、配力筋２５に番線２７で締め込み、結束する。締め込みは金属バンド（図示せず）でも可能である。
【００３５】
図５〜図８は本発明の第２実施形態を示すもので、固定部２１は、主筋２４および配力筋２５に沿わせるＴ字形鉄筋２８からなり、このＴ字形鉄筋２８はスペーサー本体部２０を構成する鉄筋２２端を直角に折り曲げ、その角部２２ａに左右方向に伸びるように直筋２９を溶接して形成した。
【００３６】
取り付けは、鉄筋２２端を直角に折り曲げ部と主筋２４（縦方向鉄筋）、直筋２９と配力筋２５（横方向鉄筋）を番線２７または金属バンドで締めこむことによって結束し、直角性を確保する。
【００３７】
図９〜図１１は本発明の第３実施形態を示すもので、固定部２１は、チャンネル状のＵ字形の鉄板３０をＴ字形に溶接接続した金物３１からなる。このＴ字形に溶接接続した金物３１は、モルタル部２３に埋め込まれた鉄筋２２の端部に直角に溶接接続する。
【００３８】
前記Ｕ字形の鉄板３０には、固定ボルト３２をその先端が内側に突出するように取り付けた。
【００３９】
取り付けは、固定部２１のＵ字形の鉄板３０の溝に主筋２４（縦方向鉄筋）、配力筋２５（横方向鉄筋）が嵌るように設置し、固定ボルト３２の締め込みによって固定する。なお、締め込みは固定ボルト３２ではなく、Ｕ字形の鉄板３０をかしめることによっても可能である。
【００４０】
図１２〜図１５は本発明の第４実施形態を示すもので、固定部２１は、下側を半円形部３３ａに曲げ加工した平面鉄板３３ｂよりなる固定プレート３３で構成し、この固定プレート３３はモルタル部２３に埋め込まれた鉄筋２２の端部に直角に平面鉄板３３ｂの部分を溶接接続する。
【００４１】
平面鉄板３３ｂの部分には、Ｕボルト３４を取り付ける。
【００４２】
取り付けは、固定プレート３３の下側半円形部３３ａを配力筋２５（横方向鉄筋）に上側鉛直部である平面鉄板３３ｂを主筋２４（縦方向鉄筋）に沿わせて設置し、Ｕボルト３４により主筋２４に締めこむことで行う。
【００４３】
以上の実施形態は、モルタル部２３を固定部２１に直角に設置したスペーサーを主筋２４（縦方向鉄筋）、配力筋２５（横方向鉄筋）に直角に設置することが容易であり、少々の外力では回転変形、脱落しないことから、確実にかぶりを保持できるものとなる。
【００４４】
図１６は、本発明の第５実施形態を示すもので、固定部２１は、長ナット３５を備え、スペーサー本体部２０を構成する鉄筋２２にはネジ切り部２２ｂを有するネジ切り鉄筋を使用し、このネジ切り鉄筋を長ナット（長さ４０ｍｍ）３５に螺合するものとした。
【００４５】
長ナット３５は十文字交差鉄筋に直角に固定部２１に溶接するものであり、図示の例は前記第１実施形態での固定部２１を示したが、第２〜第４実施形態の場合も同様に固定部２１に長ナット３５を設けることができる。
【００４６】
このようにしてスペーサー本体部２０は５０ｍｍの一定長さとし、鉄筋２２のネジ切り部２２ｂの長さ３５ｍｍ部分がモルタルに埋め込まれる。ネジ切り鉄筋の露出部はネジが切られており、長ナットへの挿入、ネジの回転により固定部との離れを０〜１００ｍｍの範囲で設定することができる。ネジのピッチは密なものを使用し、モルタル部が回転し難いようにする。（回転によってかぶり量が変化する。）
【００４７】
このようにして、モルタル部（モルタル、ネジ切り鉄筋）、固定部を１種類作ることによって５０〜１５０ｍｍの範囲のかぶりに対し、ミリ単位での対応が可能となる。また、１種類のモルタル部、固定部で広範囲のかぶりに対応でき、１種類の在庫によってスムーズな供給が可能であり、製作費、在庫のコストを低減できる。
【００４８】
図１７、図１８は、本発明の第６実施形態を示すもので、固定部２１は、長ナット３５を備え、スペーサー本体部２０を構成する鉄筋２２にはネジ切り部２２ｂを有するネジ切り鉄筋を使用し、このネジ切り鉄筋を長ナット（長さ４０ｍｍ）３５に螺合するものとした点は前記第５実施形態と同じである。
【００４９】
長ナット３５の側部にボルト３６の締め込みで鉄筋に固定する溝部３７を設けた。この溝部３７は長ナット３５の側部に平行に突出した２枚の板で構成し、締め込み用のボルト３６はその開口に架け渡すように配置する。
【００５０】
主筋２４を溝部３７に取り込み、ボルト３６で締め込むことで長ナット３５を主筋２４に取り付けることができ、スペーサー本体部２０は鉄筋２２のネジ切り部２２ｂの長ナット３５への挿入、ネジの回転によりモルタル部２３の型枠１７までの長さ（かぶり）を調整できる。
【００５１】
また、長ナット３５から出たスペーサー本体部２０は鉄筋２２の途中は配力筋２５に当接させることで固定部２１を構成して、長ナット３５および溝部３７が上下方向および水平方向の荷重によって簡単に回転変形、脱落を起すことを防止できる。
【図面の簡単な説明】
【００５２】
【図１】本発明の鉄筋コンクリート工事用スペーサーの第１実施形態を示す平面図である。
【図２】本発明の鉄筋コンクリート工事用スペーサーの第１実施形態を示す鉄筋への取り付け状態を示す平面図である。
【図３】本発明の鉄筋コンクリート工事用スペーサーの第１実施形態を示す鉄筋への取り付け状態を示す側面図である。
【図４】本発明の鉄筋コンクリート工事用スペーサーのスペーサー本体部の平面図である。
【図５】本発明の鉄筋コンクリート工事用スペーサーの第２実施形態を示す平面図である。
【図６】本発明の鉄筋コンクリート工事用スペーサーの第２実施形態を示す側面図である。
【図７】本発明の鉄筋コンクリート工事用スペーサーの第２実施形態を示す鉄筋への取り付け状態を示す平面図である。
【図８】本発明の鉄筋コンクリート工事用スペーサーの第２実施形態を示す鉄筋への取り付け状態を示す側面図である。
【図９】本発明の鉄筋コンクリート工事用スペーサーの第３実施形態を示す平面図である。
【図１０】本発明の鉄筋コンクリート工事用スペーサーの第３実施形態を示す鉄筋への取り付け状態を示す平面図である。
【図１１】本発明の鉄筋コンクリート工事用スペーサーの第３実施形態を示す鉄筋への取り付け状態を示す側面図である。
【図１２】本発明の鉄筋コンクリート工事用スペーサーの第４実施形態を示す平面図である。
【図１３】本発明の鉄筋コンクリート工事用スペーサーの第４実施形態を示す側面図である。
【図１４】本発明の鉄筋コンクリート工事用スペーサーの第４実施形態を示す鉄筋への取り付け状態を示す平面図である。
【図１５】本発明の鉄筋コンクリート工事用スペーサーの第４実施形態を示す鉄筋への取り付け状態を示す側面図である。
【図１６】本発明の鉄筋コンクリート工事用スペーサーの第５実施形態を示す側面図である。
【図１７】本発明の鉄筋コンクリート工事用スペーサーの第６実施形態を示すかぶり最少時の平面図である。
【図１８】本発明の鉄筋コンクリート工事用スペーサーの第６実施形態を示すかぶり最大時の平面図である。
【図１９】従来例を示す斜視図である。
【図２０】他の従来例を示す斜視図である。
【符号の説明】
【００５３】
１…スペーサー本体部      ２…鉄筋挟持用部
３…中央基部              ４…足片部
５…両側板部              ６…倒立Ω状部
７…開口部                ８，９…爪片
１２…ブロック            １３…支持棒
１４…受け具              １４ａ…ボルト穴
１４ｂ…凹所              １４ｃ…小凹所
１５…固定ボルト          １６…鉄筋
１７…型枠                ２０…スペーサー本体部
２１…固定部              ２２…鉄筋
２２ａ…角部              ２２ｂ…ネジ切り部
２３…モルタル部          ２４…主筋
２５…配力筋              ２６…十文字交差鉄筋
２７…番線                ２８…Ｔ字形鉄筋
２９…直筋                ３０…Ｕ字形の鉄板
３１…Ｔ字形に溶接接続した金物
３２…固定ボルト          ３３…固定プレート
３３ａ…半円形部          ３３ｂ…平面鉄板
３４…Ｕボルト            ３５…長ナット
３６…ボルト              ３７…溝部
【図１】
2014234600.tif 000003
【図２】
2014234600.tif 000004
【図３】
2014234600.tif 000005
【図４】
2014234600.tif 000006
【図５】
2014234600.tif 000007
【図６】
2014234600.tif 000008
【図７】
2014234600.tif 000009
【図８】
2014234600.tif 000010
【図９】
2014234600.tif 000011
【図１０】
2014234600.tif 000012
【図１１】
2014234600.tif 000013
【図１２】
2014234600.tif 000014
【図１３】
2014234600.tif 000015
【図１４】
2014234600.tif 000016
【図１５】
2014234600.tif 000017
【図１６】
2014234600.tif 000018
【図１７】
2014234600.tif 000019
【図１８】
2014234600.tif 000020
【図１９】
2014234600.tif 000021
【図２０】
2014234600.tif 000022